(57)【要約】【課題】  本発明は、作業者から離れた場所にあって正面に位置しない締結部または操作部に対しても、ナットまたはソケットを容易で確実に嵌めこむことのできる間接活線用の先端工具を提供することにある。【解決手段】  自在に曲げることのできる揺動部３を有する離隔棒２に取り付けて使用する間接活線用の先端工具であって、ソケット６とガイド部１１とを備えており、ソケット６は、高所の電線設備に設けてある締結部１３に締結するナット８、または高所の電線設備に使用する工具の操作部９を保持する保持穴１０が設けてあり、ガイド部１１は、ソケット６から先端側に延長して取り付けてあり、少なくともソケット６を近付けたときに、保持穴１０に先んじて締結部１３または操作部９に当る箇所に設けてあることを特徴とする。【選択図】      図１
2016171725.tif 000002
【特許請求の範囲】
【請求項１】
自在に曲げることのできる揺動部を有する離隔棒に取り付けて使用する間接活線用の先端工具であって、
ソケットとガイド部とを備えており、ソケットは、高所の電線設備に設けてある締結部に締結するナット、または高所の電線設備に使用する工具の操作部を保持する保持穴が設けてあり、ガイド部は、ソケットから先端側に延長して取り付けてあり、少なくともソケットを近付けたときに、保持穴に先んじて締結部または操作部に当る箇所に設けてあることを特徴とする間接活線用の先端工具。  
【請求項２】
ガイド部は、その外周に締結部または操作部に向けて突出するガイド調整部が設けてあることを特徴とする請求項１記載の間接活線用の先端工具。
【発明の詳細な説明】
【技術分野】
【０００１】
本発明は、高圧配電の活線工事において、間接活線用の離隔棒の先端に取り付けて使用する先端工具に関するものである。
【背景技術】
【０００２】
高所の電線設備にある締結部にナットを締結するときに、接触による事故を防止するために電線設備から距離をとって作業を行うことから、ナットを固締めする前段階の工程として、先にナットを締結部にかけておく、所謂仮締めの工程を行っている。また、高所の電線設備に使用する工具の操作部を電線設備から距離をとって操作する作業も行っている。そして、上記の各工程には、汎用の間接活線用の先端工具を離隔棒に取り付けて使用するものであった。
【先行技術文献】
【特許文献】
【０００３】
【特許文献１】特開２０００−１３９４３号公報
【発明の概要】
【発明が解決しようとする課題】
【０００４】
上記のような間接活線工具を構成する先端工具と離隔棒との間には、コイルスプリング等の自在な方向に先端工具を揺動させる揺動部が設けてある。これにより、先端工具がフレキシブルに動くことにより、作業者が締結部または操作部の正面に位置できない現場であっても、離隔棒の先で先端工具の向きを変えて締結部または操作部の正面に位置し、締結部にナットを嵌めることや、さらには、操作部に対してソケットを嵌めることができる。しかしながら、締結部または操作部が作業者から離れた場所にあり、さらに、上記の締結部や操作部が作業者の正面に位置しない現場にあっては、揺動部を有する間接活線工具を用いたとしても、締結部や操作部にソケットを嵌める作業を行うのは困難で手間を要するものであった。
【０００５】
本発明は上記課題を鑑みてなされたものであり、作業者から離れた場所にあって正面に位置しない締結部または操作部に対しても、ナットまたはソケットを容易で確実に嵌め込むことのできる間接活線用の先端工具を提供することにある。
【課題を解決するための手段】
【０００６】
本発明のうち請求項１記載の発明は、自在に曲げることのできる揺動部を有する離隔棒に取り付けて使用する間接活線用の先端工具であって、ソケットとガイド部とを備えており、ソケットは、高所の電線設備に設けてある締結部に締結するナット、または高所の電線設備に使用する工具の操作部を保持する保持穴が設けてあり、ガイド部は、ソケットから先端側に延長して取り付けてあり、少なくともソケットを近付けたときに、保持穴に先んじて締結部または操作部に当る箇所に設けてあることを特徴とする。  
【０００７】
本発明のうち請求項２記載の発明は、ガイド部の外周に締結部または操作部に向けて突出するガイド調整部が設けてあることを特徴とする。
【発明の効果】
【０００８】
本発明のうち請求項１記載の発明によれば、ソケットの先端に、締結部または操作部に向けて延長するガイド部を有する先端工具である。このようにすると、締結部または操作部に対して間接活線工具を伸ばして先端工具を到達させたときに、最初にガイド部の内周のいずれかに締結部または操作部の先が引っ掛かる。そして、ガイド部と締結部または操作部とが引っ掛かる箇所を支点として揺動部が曲がるので、支点に対して揺動部から付勢されながら角度を変えていく先端工具が、締結部または操作部の正面に位置する。さらに、締結部または操作部がガイド部の内周に沿って先導され、締結部または操作部の先端がナットまたはソケットの保持穴に入り込む。最後に、間接活線工具を作業者が軸回りに回転させることにより、締結部にナットを仮止めさせる、または、操作部の操作を行うことができる。このことから、作業を容易に行うことが可能となる。
【０００９】
本発明のうち請求項２記載の発明によれば、ガイド部の外周に、先端工具の差し込み方向に突出するガイド調整部が設けてある。これにより、鍔付きナット等の特殊な形状を有するナットをソケットに保持させた場合でも、ガイド調整部が締結部をナットの締結孔まで先導し、請求項１と同様に機能させることができる。
【図面の簡単な説明】
【００１０】
【図１】本実施による間接活線用の先端工具の使用状態を示す説明図である。
【図２】本実施による間接活線用の先端工具の（ａ）は、正面図であり、（ｂ）は、背面図であり、（ｃ）は、ガイド調整部の出没によりナットの種類の違いに対応させた縦断面図である。
【図３】（ａ）〜（ｃ）は、本実施による間接活線用の先端工具の使用手順を示す簡略化した説明図である。
【図４】（ａ）〜（ｃ）は、本実施による間接活線用の先端工具の他の使用手順を示す簡略化した説明図である。
【図５】本発明の間接活線用の先端工具の他の実施形態の使用状態を示す説明図である。
【発明を実施するための最良の形態】
【００１１】
以下、本発明の間接活線用の先端工具の実施形態を図面に基づいて説明する。
ここで、本実施による間接活線用の先端工具１を取り付ける離隔棒２と揺動部３について説明する。
離隔棒２は、図1を参照すれば、木や、あるいは樹脂やゴム等で被覆した絶縁性の長尺なものである。離隔棒２の先端には、図１のように、工具取付部４が設けてあり、工具取付部４には、後述する揺動部３や、その他の目的に使用する工具が取り付けられる。揺動部３は、図１のように、コイルスプリングの一端側と他端側にジョイント部５をそれぞれ有しており、一端側を離隔棒２に取り付け、他端側には本実施による間接活線用の先端工具１の他、他の目的に使用する工具等を取り付けることができる。
【００１２】
本実施による間接活線用の先端工具は、図１のように、ソケット６とガイド調整部７とから構成している。
ソケット６は、図２（ａ）のように、全体が筒型をなしており、その筒の内部には、芯材１４が設けてある。また、芯材１４の一方側には、ナット８または高所に設置した工具の操作部９を保持する保持穴１０を有しており、ソケット６の一方側の開口から露出する。さらに、芯材１４の他方側には、図２（ｂ）のように、上記の揺動部３のジョイント部５と連結する被連結部３ａを有しており、ソケット６の他方側から露出する。ソケット６の保持穴１０を囲む外周壁は、保持穴１０の面よりも突出しており、その突出した筒状の部位がガイド部１１となっている。また、ガイド部１１の先端にはテーパ１２が設けてある。テーパ１２は、ガイド部１１の先端から保持穴１０に向かって徐々に傾斜しており、テーパ１２に沿ってナット８または操作部９をソケット６のガイド部１１の先端開口から保持穴１０の方向へ円滑に案内する構造となっている。
【００１３】
ガイド調整部７は、ソケット６の外周部に設けてあり、ソケット６のガイド部１１を囲むリング状をなしている。また、ガイド調整部７は、ソケット６のガイド部１１の外周部から出没自在に取り付けてあり、保持穴１０に嵌めるナット８の違い等に対応して保持できる構造となっている。一般に使用されているナット８であれば、ガイド調整部７の先端位置をソケット６のガイド部１１の先端位置とほぼ面一となるように合わせておく。これに対して例えば、図２（ｃ）のように、ナット８が鍔８ａ付きのものの場合、ガイド調整部７をガイド部１１の先端位置から突出させることにより、ガイド部１１の先端でナット８の鍔８ａに当接する。これにより、ガイド調整部７がガイド部１１と同等の役割を担うことで、ナット８に対して行う作業と同様に、鍔８ａ付きのナットを保持穴１０の方向へ円滑に案内することができる。
【００１４】
上記のように構成する間接活線用の先端工具は、以下のように使用される。
第一の手順として図３（ａ）のように、本実施による間接活線用の先端工具１を取り付けた離隔棒２を高所にある電線設備に近付け、上記の電線設備から突出した締結部１３に対し、ソケット６のガイド部１１の先端を引っ掛ける。
第二の手順として図３（ｂ）のように、ソケット６のガイド部１１の先端を締結部１３に引っ掛けた状態で離隔棒２を押し上げていく。このときに、離隔棒２を押し上げていくにつれて揺動部３が次第に彎曲していき、ソケット６は、締結部１３の突出する方向に対してほぼ平行に配置される。
第三の手順として図３（ｃ）のように、離隔棒２を操作してソケット６を締結部１３に押し込み、さらに、離隔棒２を軸回しで回転してソケット６内にあるナット８を締結部１３に緩く止める。
上記の第一〜第三の手順を経て高所の電線設備の締結部１３に対するナット８の締結作業を完了する。
【００１５】
上記のように本実施による間接活線用の先端工具１を使用することで、以下に示す作用効果を奏することになる。
ソケット６のガイド部１１の先端が設けてあることにより、ソケット６を締結部１３に近づけたときに、ガイド部１１が高所にある電線設備の締結部１３に対し、ナット８を嵌めた保持穴１０に先んじて当接する。さらに、揺動部３からの付勢力でガイド部１１が締結部１３との支点を押圧するので、ガイド部１１は締結部１３にしっかりと引っ掛かる。そして、ソケット６の角度が締結部１３の正面を向く位置となったときに、締結部１３の先端がガイド部１１のテーパ１２に沿って保持穴１０の方向に案内されることにより、保持穴１０に嵌り込んだナット８のネジ孔８ｂに締結部１３が導かれる。さらに、離隔棒２を軸回しに回せば、ナット８を締結部１３の先端に緩く締めることができる。このことから、締結部１３にナット８を締め込むときに、締結部１３に対して容易にナット８を締めることができ、作業効率が向上する。
【００１６】
また、本実施による間接活線用の先端工具１は、高所に設置した工具から突出する操作部９を回す作業にも使用できる。
この場合、第一の手順として、図４（ａ）のように、ソケット６を取り付けた離隔棒２を高所にある工具の操作部９に近づける。
第二の手順として、図４（ｂ）のように、ソケット６のガイド部１１の先端に操作部９の先を引っ掛け、その引っ掛けた状態から離隔棒２を持ち上げることにより、揺動部３が彎曲してソケット６に対して付勢力を付与したまま、ソケット６が次第に角度を変えて操作部９の突出する方向とほぼ同一の向きとなる。これにより、ソケット６の保持穴１０が操作部９のほぼ正面を向くことになる。
第三の手順として、図４（ｃ）のように、離隔棒２を操作してソケット６を操作部９に押し込み、さらに、離隔棒２を軸回しで回転してソケット６を連動して回転させる。これにより、保持穴１０を嵌り込ませて高所にある工具の操作部９を回すことができる。
上記の第一〜第三の手順を経ることにより、高所にある工具の操作部９を回転する作業が完了する。
【００１７】
本発明の間接活線用の先端工具１は、図５（ａ）（ｂ）のように、締結部１３と操作部９のいずれに対してもソケット６にガイド調整部７を設けない構造とすることもできる。また、ガイド部１１は、保持穴１０の面位置から突出する長さが締結部１３や操作部９の先を引っ掛けたときに、揺動部３からの付勢力を支点に伝えてソケット６が容易に外れないものであればよい。さらに、ガイド部１１及びガイド調整部７のそれぞれのテーパ１２についても、ガイド部１１に締結部１３または操作部９の先が引っ掛かることで機能することから、必ずしも設けなくてもよい。
【符号の説明】
【００１８】
１  先端工具
２  離隔棒
３  揺動部
３ａ  被連結部
４  工具保持部
５  ジョイント部
６  ソケット
７  ガイド調整部
８  ナット
８ａ  鍔
８ｂ  ネジ孔
９  操作部
１０  保持穴
１１  ガイド部
１２  テーパ
１３  締結部
１４  芯材
【図１】
2016171725.tif 000003
【図２】
2016171725.tif 000004
【図３】
2016171725.tif 000005
【図４】
2016171725.tif 000006
【図５】
2016171725.tif 000007